(57)【要約】【課題】熱補助磁気記録ヘッド及びそれを備えた記録装置を提供する。【解決手段】磁気記録媒体に情報を記録するための磁場を形成する記録部と、記録部に隣接して位置し、光を伝送して磁気記録媒体に向けて投射する導波路とを備え、導波路は、光入射面と、光入射面に入射された光の伝送方向に行くほど断面が狭くなるテーパ部と、テーパ部を通過した光が出射される光出射面と、を備えることを特徴とする熱補助磁気記録ヘッドである。【選択図】図２
2008103063.tif 000002
【特許請求の範囲】
【請求項１】
磁気記録媒体に情報を記録するための磁場を形成する記録部と、前記記録部に隣接して位置し、光を伝送して前記磁気記録媒体に向けて投射する導波路と、を備え、前記導波路は、
光入射面と、前記光入射面に入射された光の伝送方向に行くほど断面が狭くなるテーパ部と、前記テーパ部を通過した光が出射される光出射面と、を備えることを特徴とする熱補助磁気記録ヘッド。
【請求項２】
前記導波路は、前記テーパ部の末端でＳ字状に屈曲される屈曲部をさらに備えることを特徴とする請求項１に記載の熱補助磁気記録ヘッド。
【請求項３】
前記磁気記録媒体と対面する熱補助磁気記録ヘッドの一面を下側面とすれば、前記光入射面は、前記熱補助磁気記録ヘッドの左側面または右側面に設けられ、前記磁気記録媒体から光入射面の下側端までの距離が前記磁気記録媒体から光出射面までの距離より大きいかまたは同じであることを特徴とする請求項２に記載の熱補助磁気記録ヘッド。
【請求項４】
前記導波路は、前記屈曲部の末端に光路を前記光出射面側に反射させるための光反射面をさらに備えることを特徴とする請求項３に記載の熱補助磁気記録ヘッド。
【請求項５】
前記磁気記録媒体と対面する熱補助磁気記録ヘッドの一面を下側面とすれば、前記光入射面は、前記熱補助磁気記録ヘッドの上側面に設けられることを特徴とする請求項１に記載の熱補助磁気記録ヘッド。
【請求項６】
前記磁気記録媒体に記録された情報を再生するための再生部をさらに備え、前記導波路は、前記記録部と再生部との間に設けられたことを特徴とする請求項１に記載の熱補助磁気記録ヘッド。
【請求項７】
前記光出射面を通じて出射される光のエネルギー分布を変えて強化された近接場を形成するナノアパーチャをさらに備えることを特徴とする請求項１に記載の熱補助磁気記録ヘッド。
【請求項８】
磁気記録媒体と、前記磁気記録媒体上に浮上可能に設けられ、前記磁気記録媒体に情報を記録するための熱補助磁気記録ヘッドと、光を投射する光源と、前記光源から投射された光を前記熱補助磁気記録ヘッドに導く光伝送媒体と、を備える記録装置において、
前記熱補助磁気記録ヘッドは、前記磁気記録媒体に情報を記録するための磁場を形成する記録部と、前記記録部に隣接して位置し、前記光伝送媒体を通過した光を吸収して前記磁気記録媒体に向けて投射する導波路と、を備え、前記導波路は、
前記光伝送媒体を通過した光が入射される光入射面と、前記光入射面に入射された光の伝送方向に行くほど断面が狭くなるテーパ部と、前記テーパ部を通過した光が出射される光出射面と、を備えることを特徴とする記録装置。
【請求項９】
前記導波路は、前記テーパ部の末端でＳ字状に屈曲される屈曲部をさらに備えることを特徴とする請求項８に記載の記録装置。
【請求項１０】
前記磁気記録媒体と対面する熱補助磁気記録ヘッドの一面を下側面とすれば、前記光入射面は、前記熱補助磁気記録ヘッドの左側面または右側面に設けられ、前記磁気記録媒体から光入射面の下側端までの距離が前記磁気記録媒体から光出射面までの距離より大きいかまたは同じであることを特徴とする請求項９に記載の記録装置。
【請求項１１】
前記導波路は、前記屈曲部の末端に光路を前記光出射面側に反射させるための光反射面をさらに備えることを特徴とする請求項１０に記載の記録装置。
【請求項１２】
前記磁気記録媒体と対面する熱補助磁気記録ヘッドの一面を下側面とすれば、前記光入射面は、前記熱補助磁気記録ヘッドの上側面に設けられることを特徴とする請求項８に記載の記録装置。
【請求項１３】
前記熱補助磁気記録ヘッドは、前記磁気記録媒体に記録された情報を再生するための再生部をさらに備え、前記導波路は、前記記録部と再生部との間に設けられたことを特徴とする請求項８に記載の記録装置。
【請求項１４】
前記熱補助磁気記録ヘッドは、前記光出射面を通じて出射される光のエネルギー分布を変えて強化された近接場を形成するナノアパーチャをさらに備えることを特徴とする請求項８に記載の記録装置。
【請求項１５】
前記光伝送媒体は、その屈折率が中心から外郭に行くほど漸進的に小さくなるＧＲＩＮファイバを含むことを特徴とする請求項８に記載の記録装置。
【請求項１６】
前記光伝送媒体は、ステップインデックスファイバと、前記ステップインデックスファイバの末端に結合されたＧＲＩＮレンズと、を備えることを特徴とする請求項８に記載の記録装置。
【請求項１７】
前記光伝送媒体は、その末端に光路を前記光入射面側に反射させるための光反射面をさらに備えることを特徴とする請求項８に記載の記録装置。
【発明の詳細な説明】
【技術分野】
【０００１】
本発明は、熱補助磁気記録ヘッドに係り、さらに詳細には、光ビームを照射して磁気記録媒体を局所的に加熱する熱補助磁気記録ヘッド及びそれを備えた記録装置に関する。
【背景技術】
【０００２】
磁気情報記録分野で記録密度を向上させるための研究が活発に進められている。記録密度を向上させるためには、単位情報が記録される磁気記録媒体のビットサイズを小さくしなければならず、ビットを構成する結晶粒のサイズを小さくして、遷移ノイズを減らさねばならない。
【０００３】
一方、磁気記録媒体に記録された情報が安定的に維持されるためには、磁気記録媒体の保磁力が大きくなければならない。しかし、保磁力の大きい磁気記録媒体は、磁気記録ヘッドで発生する磁場の強度の限界のため、記録が不可能になることもある。このような問題を解決するために、熱補助磁気記録ヘッドが考案された。熱補助磁気記録ヘッドとは、磁気記録媒体を局所的に加熱して保磁力を落として、前記磁気記録媒体を弱い磁場に容易に磁化させた磁気記録ヘッドを称す。近来には、光ビームを照射して磁気記録媒体を加熱する方式の熱補助磁気記録ヘッドについての研究が進められている。
【０００４】
図１は、従来の熱補助磁気記録ヘッドを備えた記録装置の一例を概略的に示す図面であって、これを参照すれば、前記熱補助磁気記録ヘッド１５は、記録装置１の作動中に磁気記録媒体２から浮上った状態を維持し、磁気記録媒体２の特定トラックに移動可能に設けられたスライダ１０の一端部に形成されている。前記スライダ１０は、磁気記録媒体２の対向面に空気軸受面（ＡＢＳ：Ａｉｒ Ｂｅａｒｉｎｇ Ｓｕｒｆａｃｅ）１３が形成されている。記録装置１の動作中に、前記磁気記録媒体２は、高速回転し、これにより前記ＡＢＳ １３と磁気記録媒体２との間には、高速の空気流動が誘発される。前記高速空気流動が前記ＡＢＳ １３を通過しつつ、スライダ１０を磁気記録媒体２から離隔させる方向に揚力が発生する。前記揚力と前記スライダ１０を弾性支持するサスペンション（図示せず）の付勢力とが平衡をなす高さで、前記スライダ１０は、浮上状態を維持する。
【０００５】
前記熱補助磁気記録ヘッド１５は、スライダ１０の一側に設けられた導波路１６と、前記導波路１６の前面に形成されたグレーティングカップラー１７とを備える。スライダ１０の外部の光源（図示せず）から照射された光ビームＬｏは、グレーティングカップラー１７によって導波路１６に吸収されて、前記導波路１６に沿って伝送されて磁気記録媒体２に向けて投射される（Ｌｓを参照）。
【０００６】
しかし、前記記録装置１は、光ビームＬｏをグレーティングカップラー１７に対向させるための複雑なコリメーティング手段を備えねばならないという問題点がある。また、複雑なコリメーティング手段を備えたのにもかかわらず、前記スライダ１０の微細な姿勢揺れ及び、相対的に大きい光ビームサイズのため、導波路１６に吸収できず、光ビームの損失が大きいという問題点もある。また、導波路１６に吸収できず、磁気記録媒体２に乱反射された光ビームＬｒが前記磁気記録媒体２の磁化状態に影響を及ぼしてノイズを形成することもあるという問題点もある。
【発明の開示】
【発明が解決しようとする課題】
【０００７】
本発明は、前記問題点を解決するためのものであって、光ビームの伝送損失を減らすように設計された導波路を備えた熱補助磁気記録ヘッド及びそれを備えた記録装置を提供することを目的とする。
【課題を解決するための手段】
【０００８】
前記目的を達成するために本発明は、磁気記録媒体に情報を記録するための磁場を形成する記録部と、前記記録部に隣接して位置し、光を伝送して前記磁気記録媒体に向けて投射する導波路と、を備え、前記導波路は、光入射面と、前記光入射面に入射された光の伝送方向に行くほど断面が狭くなるテーパ部と、前記テーパ部を通過した光が出射される光出射面と、を備えることを特徴とする熱補助磁気記録ヘッド及びそれを備えた記録装置を提供する。
【０００９】
望ましくは、前記導波路は、前記テーパ部の末端でＳ字状に屈曲される屈曲部をさらに備えうる。
【００１０】
望ましくは、前記磁気記録媒体と対面する熱補助磁気記録ヘッドの一面を下側面とすれば、前記光入射面は、前記熱補助磁気記録ヘッドの左側面または右側面に設けられ、前記磁気記録媒体から光入射面の下側端までの距離が前記磁気記録媒体から光出射面までの距離より大きいかまたは同じでありうる。
【００１１】
望ましくは、前記導波路は、前記屈曲部の末端に光路を前記光出射面側に反射させるための光反射面をさらに備えうる。
【００１２】
望ましくは、前記磁気記録媒体と対面する熱補助磁気記録ヘッドの一面を下側面とすれば、前記光入射面は、前記熱補助磁気記録ヘッドの上側面に設けられる。
【００１３】
望ましくは、前記熱補助磁気記録ヘッドは、前記磁気記録媒体に記録された情報を再生するための再生部をさらに備え、前記導波路は、前記記録部と再生部との間に設けられる。
【００１４】
望ましくは、前記熱補助磁気記録ヘッドは、前記光出射面を通じて出射される光のエネルギー分布を変えて、強化された近接場を形成するナノアパーチャをさらに備えうる。
【００１５】
一方、前記記録装置に備えられる光源から投射された光を前記熱補助磁気記録ヘッドに導く光伝送媒体は、その屈折率が中心から外郭に行くほど漸進的に小さくなるＧＲＩＮ（Ｇｒａｄｅｄ Ｉｎｄｅｘ）ファイバを備えうる。
【００１６】
望ましくは、前記光伝送媒体は、ステップインデックスファイバと、前記ステップインデックスファイバの末端に結合されたＧＲＩＮレンズとを備えうる。
【００１７】
望ましくは、前記光伝送媒体は、その末端に光路を前記光入射面側に反射させるための光反射面をさらに備えうる。
【発明の効果】
【００１８】
本発明によれば、導波路の光入射面を拡張できて光カップリング過程で光損失を抑制しうる。また、光カップリングのための複雑なコリメーティング手段を必要としないので、構造を単純化しうる。
【００１９】
また、本発明の望ましい実施例によれば、導波路のテーパ部が磁気記録媒体に向かって突出しないので、磁気記録媒体とスライダとの衝突による損傷可能性が増大する恐れはない。
【発明を実施するための最良の形態】
【００２０】
以下、添付された図面を参照して、本発明の望ましい実施例による熱補助磁気記録ヘッド及びそれを備えた記録装置を詳細に説明する。
【００２１】
図２は、本発明の望ましい実施例による熱補助磁気記録ヘッド及びそれを備えた記録装置を示す斜視図であり、図３は、図２のサブヨーク上に形成された導波路を示した断面図であり、図４は、導波路の断面と光ファイバの断面とを比較して示す図面であり、図５は、図２のファイバと導波路との間の光カップリング構造を示す断面図である。
【００２２】
図２及び図３を参照すれば、本発明の望ましい実施例による記録装置１００は、磁気記録媒体１０１と、前記磁気記録媒体１０１から浮上した状態を維持し、磁気記録媒体１０１の特定トラックに移動可能に設けられたスライダ１１０と、前記スライダ１１０の一側に形成された熱補助磁気記録ヘッド１２０と、を備える。前記スライダ１１０は、サスペンション（図示せず）に付着支持されるが、前記サスペンションは、前記スライダ１１０を磁気記録媒体１０１に向かう方向に付勢する。前記スライダ１１０は、前記磁気記録媒体１０１の対向面にＡＢＳ（図示せず）が形成されている。通常的に、前記スライダ１１０は、ＡｌＴｉＣから形成される。
【００２３】
記録装置１００の作動中に、前記磁気記録媒体１０１は、高速回転し、これにより、前記スライダ１１０のＡＢＳと磁気記録媒体１０１との間には、高速の空気流動が誘発される。前記高速空気流動が前記ＡＢＳを通過しつつ、スライダ１１０を磁気記録媒体１０１から離隔させる方向に揚力が発生する。前記揚力と前記サスペンションの付勢力とが平衡をなす高さで、前記スライダ１１０は、浮上状態を維持し、この状態で前記熱補助磁気記録ヘッド１２０によって磁気記録媒体１０１の特定トラックに／から情報を記録／再生する機能が行われる。磁気記録媒体１０１は、図１には示されていないが、スライダ１１０の下側にＸＹ平面上に設けられ、スライダ１１０に対する磁気記録媒体１０１の相対運動方向は、Ｘ軸の正の方向である。
【００２４】
前記熱補助磁気記録ヘッド１２０は、前記磁気記録媒体１０１に情報を記録するための磁場を形成する記録部１２２と、前記磁気記録媒体１０１に記録された情報を再生するための再生部１４５と、前記記録部１２２と再生部１４５との間に導波路１３０と、を備える。前記記録部１２２は、磁気記録媒体１０１に磁場を加えるメインポール１２４と、前記メインポール１２４と共に磁場の磁路を形成するリターンヨーク１２５と、前記メインポール１２４に磁場を誘導するコイル１２３と、を備える。前記メインポール１２４の下側に漏れる漏れ磁束によって、磁気記録媒体１０１が磁化して前記磁気記録媒体１０１に記録が行われる。前記再生部１４５は、一対の平行したシールド１４６と、前記一対のシールドの間に形成された巨大磁気抵抗センサーのような再生センサー１４８と、を備える。前記一対のシールドは、磁性物質であるＦｅＮｉで形成される。
【００２５】
前記記録装置１００は、光源１０５と、前記光源１０５から投射された光Ｌ１を熱補助磁気記録ヘッド１２０の導波路１３０まで導く光伝送媒体の一例であるＧＲＩＮファイバ１０６と、をさらに備える。前記光源１０５は、レーザを投射するレーザダイオード（ＬＤ：Ｌａｓｅｒ Ｄｉｏｄｅ）を含みうる。例えば、スライダ１１０に隣接した前記ＧＲＩＮファイバ１０６の末端部のように、前記ＧＲＩＮファイバ１０６の少なくとも一部は、スライダ１１０を支持するサスペンション（図示せず）に支持される。
【００２６】
一方、前記メインポール１２４と再生部１４５との間には、サブヨーク１２７が形成されており、前記導波路１３０は、前記サブヨーク１２７と同じ層に積層形成されている。前記サブヨーク１２７は、メインポール１２４の磁場の集束効率を向上させて漏れ磁束を増大させる。図２に示されていないが、前記熱補助磁気記録ヘッド１２０の空いている空間には、アルミナ（Ａｌ２Ｏ３）が充填されて保護層を形成する。
【００２７】
前記導波路１３０は、ＧＲＩＮファイバ１０６を通過した光ビームＬ１が入射される光入射面１３１と、前記光ビームＬ１の伝送方向に行くほど断面が狭くなるテーパ部１３２と、前記テーパ部１３２の末端でＳ字状に屈曲される屈曲部１３４と、前記光ビームＬ１が磁気記録媒体１０１側に出射される光出射面１３８と、前記屈曲部１３４の末端に設けられた光反射面１３７と、を備える。
【００２８】
前記導波路１３０は、図４Ａに示したように、Ｘ軸方向よりＺ軸方向の長さが相対的に長い長方形の断面を有する。これは、入射された光ビームＬ１の偏光率を高めるためのものであって、図４Ａとは異なり、Ｘ軸方向の長さがＺ軸方向の長さより相対的に長い長方形の断面であってもよい。
【００２９】
しかし、前記ＧＲＩＮファイバ１０６は、図４Ｂに示したように、円形の断面を有する。このような断面形状の差によって、ＧＲＩＮファイバ１０６から出射されて導波路１３０に向かう光ビームＬ１の光カップリング過程で光ビームの損失が引き起こされるところ、前記導波路１３０は、このような光ビームの損失を減らせるようにテーパ部１３２を備える。前記テーパ部１３２は、前記光入射面１３１に入射された光ビームＬ１の伝送方向（Ｙ軸の負（−）の方向）に行くほど断面が狭くなるように形成される。これにより、光入射面１３１の断面が従来に比べて広くなって、光カップリング過程での光損失が減少しうる。
【００３０】
前記磁気記録媒体１０１と対面する熱補助磁気記録ヘッド１２０の一面を下側面とすれば、前記光入射面１３１は、熱補助磁気記録ヘッド１２０の左側面または右側面に設けられ、前記光ファイバ１０６の末端部は、前記光入射面１３１と隣接するように前記熱補助磁気記録ヘッド１２０の左側または右側に設けられる。
【００３１】
図５を参照すれば、前記ＧＲＩＮファイバ１０６の末端の光反射面１０８は、光ファイバ１０６をその長手方向（Ｘ軸方向）に対して４５°ほど傾斜して切開し、ＨＲ（Ｈｉｇｈ Ｒｅｆｌｅｃｔ）コーティングして形成する。光源１０５（図２参照）から投射された光ビームＬ１は、ＧＲＩＮファイバ１０６の内部から伝送され、光反射面１０８で反射されてＹ軸の負（−）の方向に進んで導波路１３０の光入射面１３１に入射される。前記光反射面１０８が光ビームＬ１の進行方向を光入射面１３１に対向させるので、別途のコリメーティング手段が不要であるので、構造が単純になる。
【００３２】
一方、光ビームのサイズが大きければ、光カップリング過程で各整列公差が小さくなると知られている。これは、光ビームのサイズが大きければ、光入射面１３１に入射される光ビームＬ１の入射角が微細に反れても、光損失が大きくなって光カップリング効率が低下することを意味する。前述したように、本発明の記録装置１００は、ＧＲＩＮファイバ１０６から導波路１３０への光カップリング過程で光損失が減少するので、光損失を勘案して、光ビームのサイズを大きくする必要はない。したがって、前記各整列公差が従来に比べて相対的に大きくなって光カップリング効率が向上する。
【００３３】
前記ＧＲＩＮファイバ１０６は、その屈折率が中心から外郭に行くほど漸進的に低下する光ファイバである。ＧＲＩＮファイバは、自体フォーカシング機能があって、光反射面１０８に反射されて光入射面１３１に向かう光ビームＬ１が光入射面１３１の中心に集中する。したがって、光カップリング過程で光損失をさらに減らせ、別途のフォーカシングレンズを必要としないので、構造をさらに単純化しうる。
【００３４】
但し、前記光伝送媒体は、ＧＲＩＮファイバ１０６に限定されず、ステップインデックスファイバと、前記ステップインデックスファイバの末端に結合されたＧＲＩＮレンズと、を備えて構成することも可能である。
【００３５】
再び、図２及び図３を参照すれば、前記導波路１３０の屈曲部１３４は、テーパ部１３２の末端で始まって磁気記録媒体１０１に対面するサブヨーク１２７の下側面に近く延びる。前記屈曲部１３４の曲がった二地点１３５,１３６の曲率は、屈曲部１３４に沿って進行する光ビームＬ１の光損失が最小化するように適切に決まる。前記屈曲部１３４の末端の光反射面１３７は、ＧＲＩＮファイバ１０６の光反射面１０８（図５参照）と同様に、屈曲部１３４の長手方向（Ｙ軸方向）に対して４５°ほど傾斜して切開し、ＨＲコーティングして形成する。前記光反射面１３７に反射された光ビームＬ１は、Ｚ軸の負（−）の方向に進行して光出射面１３８を通じて出射される。
【００３６】
前記Ｓ字状の屈曲部１３４は、磁気記録媒体１０１から光入射面１３１の下側端までの距離Ａ１が磁気記録媒体１０１から光出射面１３８までの距離Ａ２より大きいかまたは同一にする。前記屈曲部１３４がなければ、テーパ部１３２が磁気記録媒体１０１に過度に近接して記録装置１００の作動中に磁気記録媒体１０１と衝突する可能性が大きくなるか、または光出射面１３８が磁気記録媒体１０１から過度に離隔されて磁気記録媒体１０１に照射される光ビームＬ１の強度が弱くなりうる。
【００３７】
前記熱補助磁気記録ヘッド１２０は、導波路１３０の光出射面１３８の下側にナノアパーチャ１４０をさらに備える。前記ナノアパーチャは、導波路１３０を通じて伝送された光ビームＬ１の光エネルギー分布を変えて強化された近接場を形成する。
【００３８】
図６は、本発明の他の望ましい実施例による熱補助磁気記録ヘッド及びそれを備えた記録装置を示す斜視図であり、図７は、図６のサブヨーク上に形成された導波路を示す断面図である。
【００３９】
図６及び図７を参照すれば、本発明の他の望ましい実施例による記録装置２００も図２及び図３に示された記録装置１００と同様に、磁気記録媒体２０１と、前記磁気記録媒体２０１から浮上った状態を維持し、磁気記録媒体２０１の特定トラックに移動可能に設けられたスライダ２１０と、前記スライダ２１０の一側に形成された熱補助磁気記録ヘッド２２０と、を備え、前記スライダ２１０を支持すると同時に磁気記録媒体２０１に向かう方向に付勢するサスペンション（図示せず）を備える。前記スライダ２１０は、ＡｌＴｉＣで形成されている。
【００４０】
前記熱補助磁気記録ヘッド２２０は、前記磁気記録媒体２０１に情報を記録するための磁場を形成する記録部２２２と、前記磁気記録媒体２０１に記録された情報を再生するための再生部２４５と、前記記録部２２２と再生部２４５との間に導波路２３０と、を備える。図２及び図３の熱補助磁気記録ヘッド１２０と同様に、前記記録部２２２は、メインポール２２４と、リターンヨーク２２５と、コイル２２３と、を備え、前記再生部２４５は、一対の平行したシールド２４６と、前記一対のシールドの間に設けられた再生センサー２４８とを備える。
【００４１】
前記記録装置２００は、光源２０５と、前記光源２０５から投射された光Ｌ２を熱補助磁気記録ヘッド２２０の導波路２３０まで導く光伝送媒体の一例であって、ＧＲＩＮファイバ２０６をさらに備える。前記ＧＲＩＮファイバ２０６は、スライダ２１０を支持するサスペンション（図示せず）に支持される。前記スライダ２１０は、前記サスペンションの下側面に付着支持される一方、前記光ファイバ２０６は、前記サスペンションの上側面に付着支持されて末端部で光ビームＬ２を導波路２３０に向けて投射する。
【００４２】
一方、前記導波路２３０は、メインポール２２４と再生部２４５との間に位置したサブヨーク２２７内に形成されている。前記導波路２３０は、光ファイバ２０６を通過した光ビームＬ２が入射される光入射面２３１と、前記光ビームＬ２の伝送方向（Ｚ軸の負（−）の方向）に行くほど断面が狭くなるテーパ部２３２と、前記テーパ部２３２の末端に前記光ビームＬ２が磁気記録媒体１０１側に出射される光出射面２３８と、を備える。
【００４３】
前記磁気記録媒体２０１と対面する熱補助磁気記録ヘッド２２０の一面を下側面とすれば、前記光入射面２３１は、熱補助磁気記録ヘッド２２０の上側面に設けられ、前記ＧＲＩＮファイバ２０６の末端部は、前記光入射面２３１と隣接するように前記熱補助磁気記録ヘッド２２０の上側に設けられる。
【００４４】
前記ＧＲＩＮファイバ２０６の末端の光反射面２０８は、ＧＲＩＮファイバ２０６をその長手方向（Ｘ軸方向）に対して４５°ほど傾斜して切開し、ＨＲコーティングして形成する。光源２０５から投射された光ビームＬ２は、ＧＲＩＮファイバ２０６の内部から伝送され、光反射面２０８から反射されてＺ軸の負（−）の方向に進行して導波路２３０の光入射面２３１に入射される。但し、本発明のさらに他の実施例による記録装置２００’を示した図８を参照すれば、前記光伝送媒体は、ＧＲＩＮファイバ２０６（図６参照）に限定されず、ステップインデックスファイバ２０７と、前記ステップインデックスファイバ２０７の末端に結合されたＧＲＩＮレンズ２０９とを備えて構成されることも可能である。
【００４５】
前記熱補助磁気記録ヘッド２２０は、前記光出射面２３８の下側にナノアパーチャ２４０をさらに備える。前記ナノアパーチャは、導波路２３０を通じて伝送された光ビームＬ２の光エネルギー分布を変えて強化された近接場を形成する。
【００４６】
本発明は、図面に示した実施形態を参照して説明されたが、それは、例示的なものに過ぎず、当業者ならば、これから多様な変形及び均等な他の実施形態が可能であるということが分かるであろう。したがって、本発明の真の技術的保護範囲は、特許請求の範囲の技術的思想によって決定されねばならない。
【産業上の利用可能性】
【００４７】
本発明は、磁気記録媒体関連の技術分野に適用可能である。
【図面の簡単な説明】
【００４８】
【図１】従来の熱補助磁気記録ヘッドを備えた記録装置の一例を概略的に示す図面である。
【図２】本発明の望ましい実施例による熱補助磁気記録ヘッド及びそれを備えた記録装置を示す斜視図である。
【図３】図２のサブヨーク上に形成された導波路を示す断面図である。
【図４Ａ】導波路の断面を示す図面である。
【図４Ｂ】光ファイバの断面を示す図面である。
【図５】図２のファイバと導波路との間の光カップリング構造を示す断面図である。
【図６】本発明の他の望ましい実施例による熱補助磁気記録ヘッド及びそれを備えた記録装置を示す斜視図である。
【図７】図６のサブヨーク上に形成された導波路を示す断面図である。
【図８】本発明のさらに他の望ましい実施例による熱補助磁気記録ヘッド及びそれを備えた記録装置を示す斜視図である。
【符号の説明】
【００４９】
１００  記録装置
１０１  磁気記録媒体
１０５  光源
１０６  ＧＲＩＮファイバ
１１０  スライダ
１２０  熱補助磁気記録ヘッド
１２２  記録部
１２３  コイル
１２４  メインポール
１２５  リターンヨーク
１２７  サブヨーク
１３０  導波路
１４０  ナノアパーチャ
１４５  再生部
１４６  シールド
１４８  再生センサー
Ｌ１  光ビーム
【図１】
2008103063.tif 000003
【図２】
2008103063.tif 000004
【図３】
2008103063.tif 000005
【図４Ａ】
2008103063.tif 000006
【図４Ｂ】
2008103063.tif 000007
【図５】
2008103063.tif 000008
【図６】
2008103063.tif 000009
【図７】
2008103063.tif 000010
【図８】
2008103063.tif 000011